【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
チャートに含まれる複数の異なるパッチを読み取る複数のセンサと、
前記複数のセンサの数に関する情報を取得する取得手段と、
前記取得手段により取得したセンサの数に関する情報を用いて色域を分割する色域分割手段と、
前記複数のセンサのうち同一のセンサで、前記色域分割手段により分割された色域のパッチを測定するようにチャートデータを作成するチャートデータ作成手段と、
を有することを特徴とする画像処理装置。
【請求項２】
前記センサにより測定されるパッチの数に関する情報を取得する手段を有し、
前記チャートデータ作成手段は、前記色域分割手段により分割された色域と前記取得したパッチの数に関する情報を用いて、前記センサそれぞれに対応した色を補正するためのチャートデータを作成することを特徴とする請求項１に記載の画像処理装置。
【請求項３】
前記色域分割手段にて色域を分割する際は、無彩色領域を決定することを特徴とする請求項１に記載の画像処理装置。
【請求項４】
前記チャートデータ作成手段は、前記色域分割手段により分割された色域の中で無彩色領域を含まない最も狭い色領域を決定し、該色領域には、無彩色領域のパッチも含めてパッチが予め決められた個数になるように制御することを特徴とする請求項１記載の画像処理装置。
【請求項５】
前記色域分割手段にて色域を分割する際は色域の境界にマージンを設定して領域を分割することを特徴とする請求項１記載の画像処理装置。
【請求項６】
前記色域の境界に設定されたマージンにあるパッチに対して前記センサによる測定を行う際に、異なる色領域で取得された値の平均が測定結果として用いられることを特徴とする請求項５記載の画像処理装置。
【請求項７】
前記色域分割手段にて色域を分割する際は、色相または明度または彩度のうち１つ以上の情報を用いることで前記色域を分割することを特徴とする請求項１記載の画像処理装置。
【請求項８】
前記色域を分割する手段は、前記チャートデータ作成手段により作成されたチャートデータが色差均等になるように前記色域を分割することを特徴とする請求項１記載の画像処理装置。
【請求項９】
前記センサを用いて前記作成されたチャートデータを測定する際には、前記パッチを有彩色と無彩色に分類して測定値を得ることを特徴とする請求項１記載の画像処理装置。
【請求項１０】
チャートに含まれる複数の異なるパッチを読み取る複数のセンサを有する画像処理装置の制御方法であり、
前記複数のセンサの数に関する情報を取得する取得ステップと、
前記取得ステップにて取得した色域を前記取得したセンサの数に関する情報を用いて分割する色域分割ステップと、
前記複数のセンサのうち同一のセンサで、前記色域分割ステップにて分割された色域のパッチを測定するようにチャートデータを作成するチャートデータ作成ステップと、
を有することを特徴とする画像処理装置の制御方法。
【請求項１１】
前記センサにより測定されるパッチの数に関する情報を取得するステップを有し、
前記チャートデータ作成ステップでは、前記色域分割ステップにて分割された色域と前記取得したパッチの数に関する情報を用いて、前記センサそれぞれに対応した色を補正するためのチャートデータを作成する、
ことを特徴とする請求項１０に記載の画像処理装置の制御方法。
【請求項１２】
前記色域分割ステップにて色域を分割する際は、無彩色領域を決定することを特徴とする請求項１０に記載の画像処理装置の制御方法。
【請求項１３】
前記チャートデータ作成ステップは、前記色分割ステップにて分割された色域の中で無彩色領域を含まない最も狭い色領域を決定し、該色領域には、無彩色領域のパッチも含めてパッチが予め決められた個数になるように制御することを特徴とする請求項１０記載の画像処理装置の制御方法。
【請求項１４】
前記色域分割ステップにて色域を分割する際は色域の境界にマージンを設定して領域を分割することを特徴とする請求項１０記載の画像処理装置の制御方法。
【請求項１５】
前記色域の境界に設定されたマージンにあるパッチに対して前記センサによる測定を行う際に、異なる色領域で取得された値の平均が測定結果として用いられることを特徴とする請求項１４記載の画像処理装置の制御方法。
【請求項１６】
前記色域分割ステップにて色域を分割する際は、色相または明度または彩度のうち１つ以上の情報を用いることで前記色域を分割することを特徴とする請求項１０記載の画像処理装置の制御方法。
【請求項１７】
前記色域分割ステップにて、前記チャートデータ作成ステップにて作成されたチャートデータが色差均等になるように前記色域を分割することを特徴とする請求項１０記載の画像処理装置の制御方法。
【請求項１８】
前記センサを用いて前記作成されたチャートデータを測定する際には、前記パッチを有彩色と無彩色に分類して測定値を得ることを特徴とする請求項１０記載の画像処理装置の制御方法。
【請求項１９】
複数のセンサと、
前記複数のセンサのうちの１つのセンサで測定可能な位置に、
色相ごとに複数に分割された色域のうち、同一色相の色域を有するパッチを複数出力する出力手段と、
を有することを特徴とする画像処理装置。
【請求項２０】
前記色域は、前記複数のセンサの数と同一の数に分割されることを特徴とする請求項１９に記載の画像処理装置。
【請求項２１】
前記センサにより測定されるパッチの数に関する情報を取得する手段を有し、
前記分割された色域と前記取得したパッチの数に関する情報を用いて、前記センサそれぞれに対応した色を補正するためのチャートデータを作成することを特徴とする請求項１９に記載の画像処理装置。
【請求項２２】
複数のセンサを有する画像処理装置の制御方法であり、
前記複数のセンサのうちの１つのセンサで測定可能な位置に、
色相ごとに複数に分割された色域のうち、同一色相の色域を有するパッチを複数出力する出力ステップを有することを特徴とする画像処理装置の制御方法。
【請求項２３】
前記色域は、前記複数のセンサの数と同一の数に分割されることを特徴とする請求項２２に記載の画像処理装置の制御方法。
【請求項２４】
前記センサにより測定されるパッチの数に関する情報を取得するステップを有し、
前記分割された色域と前記取得したパッチの数に関する情報を用いて、前記センサそれぞれに対応した色を補正するためのチャートデータを作成することを特徴とする請求項２２に記載の画像処理装置の制御方法。
【請求項２５】
請求項１８または２２に記載の画像処理方法をコンピュータに実行させるためのプログラム。
【手続補正２】
【補正対象書類名】明細書
【補正対象項目名】０００８
【補正方法】変更
【補正の内容】
【０００８】
上述した課題を解決するために、本発明の画像処理装置は、チャートに含まれる複数の異なるパッチを読み取る複数のセンサと、前記複数のセンサの数に関する情報を取得する取得手段と、前記取得手段により取得したセンサの数に関する情報を用いて色域を分割する色域分割手段と、前記複数のセンサのうち同一のセンサで、前記色域分割手段により分割された色域のパッチを測定するようにチャートデータを作成するチャートデータ作成手段とを有することを特徴とする。
また、上述した課題を解決するために、本発明の画像処理装置は複数のセンサと、前記複数のセンサのうちの１つのセンサで測定可能な位置に、色相ごとに複数に分割された色域のうち、同一色相の色域を有するパッチを複数出力する出力手段とを有することを特徴とする。